(57)【要約】本発明は、通信ネットワーク内での端末のページングの分野に関するものである。端末グループにコンタクトするために、共通のグループ識別子が、グループ内の各端末に割り当てられる。その後、共通グループ識別子を備えたページングメッセージが作成される。続いて、ページングメッセージが、グループ内のすべての端末に対して単一のページング操作によって送信される。
2013509800.tif 000002
【特許請求の範囲】
【請求項１】
通信ネットワーク内で、少なくとも２つの端末を含む複数の端末のグループ（３０１，３０２，３０３，３０４，３０５）にコンタクトするための方法であって、
前記グループ内の各端末（３０１，３０２，３０３，３０４，３０５）へ共通のグループ識別子（４１１，４２１，４３１）を割り当てるステップ（１１０）と、
前記グループ識別子を含む（４１１，４２１，４３１）を含むページングメッセージを作成するステップ（１２０）と、
単一のページング操作によって前記グループ内の全ての端末へ前記ページングメッセージを送信するステップ（１３０）と
を含むことを特徴とする方法。
【請求項２】
前記共通のグループ識別子（４１１，４２１，４３１）は、前記グループのための特定の国際移動電話加入者識別子であることを特徴とする請求項１に記載の方法。
【請求項３】
前記共通のグループ識別子（４１１，４２１，４３１）は、一時移動グループ識別子であることを特徴とする請求項１に記載の方法。
【請求項４】
前記共通のグループ識別子（４１１，４２１，４３１）は、”識別子なし”という値を有する移動アイデンティティであることを特徴とする請求項１に記載の方法。
【請求項５】
前記単一のページング操作（１３０）は、単一のページングメッセージを送信するステップを含むことを特徴とする請求項１に記載の方法。
【請求項６】
前記方法が前記通信ネットワークのノード（３２１，３３１，３１０）において実行されることを特徴とする請求項１乃至５の何れか１項に記載の方法。
【請求項７】
前記複数の端末（３０１，３０２，３０３，３０４，３０５）の少なくとも１つから、応答（５２４）を受信するステップをさらに含むことを特徴とする請求項１乃至６の何れか１項に記載の方法。
【請求項８】
前記応答（５２４）を受信する前記ステップは、前記複数の端末の少なくとも１つからの報告を受信するステップを含むことを特徴とする請求項７に記載の方法。
【請求項９】
前記複数の端末の少なくとも１つへ、更新又は再構成を行うための情報を送信するステップをさらに含むことを特徴とする請求項１乃至８の何れか１項に記載の方法。
【請求項１０】
前記ページングメッセージは、
要求された端末による応答の指標と、
要求された端末による応答に関連する１つ以上のパラメータと、
ページングの型の指標と、
前記通信ネットワークへの前記複数の端末による所望のアクセスがどのように行われるべきかを示す指標と、
前記複数の端末による通信ネットワークへの所望のアクセスに関する１つ以上のパラメータと、
ジョイント・ページングがアドレス指定される端末の特定のサブグループの指標と、
前記複数の端末を対象とした１つ以上の特定のコマンド又は命令と、
前記ページングに応じたアクセスがいつ端末によって送信されるべきかというタイミングに関する１つ以上のパラメータと
のうち、１つ以上を含む追加情報を含むことを特徴とする請求項１乃至９の何れか１項に記載の方法。
【請求項１１】
少なくとも２つの端末を含む複数の端末のグループに属する、通信ネットワークにおける端末（３０１，３０２，３０３，３０４，３０５）の方法であって、
前記グループ内の全てのデバイスに対するのと同様に、共通のグループ識別子が割り当てられるステップと、
前記共通のグループ識別子を含むページングメッセージを受信するステップ（２１０ａ）と
を含むことを特徴とする方法。
【請求項１２】
前記ページングメッセージへ応答を送信するステップ（２３０ａ）をさらに含むことを特徴とする請求項１１に記載の方法。
【請求項１３】
前記応答の送信を遅らせるステップ（２２０ａ）をさらに含むことを特徴とする請求項１１に記載の方法。
【請求項１４】
追加情報として前記ページングメッセージに含まれるＴｘ整数値を受信するステップと、
前記受信したＴｘ整数値に従って、遅延時間のランダムな期間を決定するステップと、
前記決定された遅延時間の期間によって前記応答（２２０ａ）の送信を遅延させるステップと
を含むことを特徴とする請求項１３に記載の方法。
【請求項１５】
前記ページングメッセージへの応答（２３０ａ）を送信するステップは、報告を送信するステップを含むことを特徴とする請求項１２乃至１４の何れか１項に記載の方法。
【請求項１６】
前記複数の端末を更新するか、及び、再構成するかの少なくとも一方のための情報を受信するステップを含むことを請求項１１乃至１５の何れか１項に記載の方法。
【請求項１７】
少なくとも２つの端末（３０１，３０２，３０３，３０４，３０５，３６０，３７０，３８０）を含む、通信ネットワークにおける複数の端末のグループにコンタクトするための装置であって、
前記複数の端末のグループ内の各端末に共通のグループ識別子を割り当て、前記共通のグループ識別子を含むページングメッセージを作成する処理ユニット（３１１，３５１）と、
前記グループ内の各端末へ前記ページングメッセージを送信する送信機（３２１，３３１）と
を備えることを特徴とする装置。
【請求項１８】
前記処理ユニットは、ネットワーク制御装置（３１０）又はシステムサーバ（３５０）の一部であることを特徴とする請求項１７に記載の装置。
【請求項１９】
少なくとも２つの端末を含む複数の端末のグループに属する、通信ネットワークにおける端末（３０１，３０２，３０３，３０４，３０５，３６０，３７０，３８０）であって、
ページングメッセージを受信する受信機と、
前記ページングメッセージに対する応答を送信する回路と、
前記応答の送信を遅らせる遅延ユニットと
を備えることを特徴とする端末。
【請求項２０】
追加情報として前記ページングメッセージに含まれるＴｘ整数値を受信する回路と、
前記受信したＴｘ整数値に従った遅延時間のランダムな期間を決定する回路と、をさらに備え、
前記遅延ユニットは、前記決定された遅延時間のランダムな期間で、前記応答の送信を遅らせることを特徴とする請求項１９に記載の端末。
【発明の詳細な説明】
【技術分野】
【０００１】
本発明は一般に、ネットワークの端末にコンタクトする分野に関する。詳細には、本発明は、通信ネットワーク内の端末グループにコンタクトするための方法及び装置と、通信ネットワークのための端末における方法と、通信ネットワークのための端末とに関する。
【背景技術】
【０００２】
例えばＧＥＲＡＮ（ＧＳＭ／ＥＤＧＥ  Ｒａｄｉｏ  Ａｃｃｅｓｓ  Ｎｅｔｗｏｒｋ）やＵＴＲＡＮ（ＵＴＭＳ  Ｒａｄｉｏ  Ａｃｃｅｓｓ  Ｎｅｔｗｏｒｋ）のような移動通信ネットワークにおいて生成されるトラヒックは現時点まで、人間による対話を必要とするサービスがその大半を占めてきた。そのようなサービスの例として、例えば、通常の音声通話、インターネット閲覧、動画チャット、ＭＭＳ送信等がある。このことは、Ｅ−ＵＴＲＡＮ（Ｅｖｏｌｖｅｄ  ＵＴＲＡＮ）についても予想されている。結果として、これらのネットワークは、主としてこれらのいわゆる「ヒト型通信（Ｈｕｍａｎ  Ｔｙｐｅ  Ｃｏｍｍｕｎｉｃａｔｉｏｎ：ＨＴＣ）」サービスのために設計され、最適化されている。
【０００３】
しかしながら、人間による対話を必ずしも必要としないマシン型通信（Ｍａｃｈｉｎｅ  Ｔｙｐｅ  Ｃｏｍｍｕｎｉｃａｔｉｏｎ：ＭＴＣ）サービスの市場もますます拡大している。ＭＴＣは、極めて多様なアプリケーションを含む可能性がある。ほんの数例をあげるだけでも、そのようなアプリケーションは、車両用アプリケーション（自動緊急通話、遠隔診断及びテレマティックス、車両の追跡等）からガスメータ及び電力メータの示度まで多岐にわたりうる。その他の例として、ネットワーク監視及びカメラなどがある。
【０００４】
そのようなサービスによって在圏ネットワークに課される必要条件は、３ＧＰＰ  ＴＳ  ２２．３６８「Ｓｅｒｖｉｃｅ  ｒｅｑｕｉｒｅｍｅｎｔｓ  ｆｏｒ  ｍａｃｈｉｎｅ−ｔｙｐｅ  ｃｏｍｍｕｎｉｃａｔｉｏｎｓ（マシン型通信のためのサービス要件）」において概要が示されたように、今日のＨＴＣ用に最適化された移動ネットワークによって提供されるものとは著しく異なる可能性が高いであろう。
【発明の概要】
【０００５】
上記の議論に鑑みて、通信ネットワークによって提供されるマシン型通信のサポートを最適化し、かつ、ＭＴＣアプリケーション及びデバイスを用いるための実現性を改善する必要がある。
【０００６】
ＭＴＣをサポートするために必要となりうる機能の一例として、ネットワークの多数の端末にコンタクトまたは到達して端末に何らかのかたちで命令する能力が挙げられる。典型的には、これは、各端末にページングすることによって行われうるであろう。しかし、そのようなソリューションは、特に、コンタクトすべき端末の数が多い場合、大量のシグナリングを行うことを必要とする。それゆえ、ネットワーク輻輳のリスクがある。
【０００７】
そのため、ネットワークの多数の端末にコンタクトするための別の方法、装置、プロトコル、及び／またはメッセージが必要である。
【０００８】
従って、本発明の一般的な目的は、上記の不利点の少なくとも一部を未然に防ぎ、ネットワークの多数の端末にコンタクトするための方法、装置、プロトコル、及び／またはメッセージを提供することである。
【０００９】
本発明の第１の態様によれば、これは、単一のページング操作（例えばページング要求）を用いて端末グループのジョイント・ページングを行うことを含む方法によって達成される。
【００１０】
いくつかの実施形態では、単一のページング操作は、単一のページングメッセージを送信することを含んでいる。それゆえ、いくつかの実施形態によれば、単一のページング操作は、同じ端末グループに属する複数の端末にアドレス指定された単一のページングメッセージを送信することを含んでもよい。
【００１１】
端末は、通信ネットワークに関連付けられてもよく、単一のページング操作は、通信ネットワークの１つ以上のノードによって（例えば単一のページングメッセージまたは要求を生成し、それを端末グループに送信することによって）行われてもよい。通信ネットワークは、ワイヤレス通信ネットワークであってもよい。１つ以上のノードは、基地局と基地局制御装置とネットワーク制御装置とネットワークサーバとのうちの１つ以上であってもよい。本発明の別の実施形態では、本発明の実施形態は、ノードＢの中に、あるいはｅノードＢの中に実装することができる。
【００１２】
ジョイント・ページングは、マシン−マシン（Ｍ２Ｍ）通信を開始するためにページングすることを含んでもよい。マシン‐マシン通信は、端末を更新及び／または再構成することを含んでもよい。それに加えて、またはその代わりに、マシン‐マシン通信は、端末が所定の報告を送信することを含んでもよい。所定の報告は、測定報告、示度報告、ステータス報告等を含んでもよい。所定の報告は、通信ネットワークによって、及び／または、ネットワークに関連付けられたサーバによって受信されてもよい。
【００１３】
それに加えて、またはその代わりに、ジョイント・ページングは、ヒト型通信を開始するためにページングすることを含んでもよい。
【００１４】
方法は、グループの各端末をグループ識別子に関連付けるステップと、識別子を用いて端末グループを共同でページングするステップとを含んでもよい。いくつかの実施形態では、方法は、単一のページングメッセージの中にグループ識別子を含めることを含んでいる。例えば、グループ識別子には、グループ固有のＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｔｙ：国際移動電話加入者識別子）、またはＴＭＧＩ（Ｔｅｍｐｏｒａｒｙ  Ｍｏｂｉｌｅ  Ｇｒｏｕｐ  Ｉｄｅｎｔｉｔｙ：一時移動グループ識別子）、または「識別子なし」という値を有するＭｏｂｉｌｅ  Ｉｄｅｎｔｉｔｙ（移動アイデンティティ）が含まれてもよい。
【００１５】
方法はさらに、単一のページングメッセージの中に追加情報を含めることを含んでもよい。追加情報は、要求された端末による応答の指標と、要求された端末による応答に関する１つ以上のパラメータと、ページングの型の指標と、通信ネットワークへの所望のアクセスを端末がどのように行うべきかの指標と、端末による通信ネットワークへの所望のアクセスに関する１つ以上のパラメータと、ジョイント・ページングがアドレス指定される端末の特定のサブグループの指標と、端末を対象とした１つ以上の特定のコマンドまたは命令とのうち１つ以上を含んでもよい。さらなる例として、追加情報は、ページングに応じたアクセスがいつ端末によって送信されるべきかというタイミングに関する１つ以上のパラメータを含んでもよい。
【００１６】
いくつかの実施形態では、方法は、第２のページング操作を用いて第２の端末グループのジョイント・ページングを行うことを含んでもよい。
【００１７】
いくつかの実施形態では、（本書では以下、デバイス、または、場合によってはマシンと呼ばれることもある）端末には、移動端末が含まれる。例えば、端末には、携帯可能または携帯型の移動無線通信機器、移動無線端末、移動電話、ポケベル、通信機、電子手帳、スマートフォン、コンピュータ、ノートブック、移動ゲーミングデバイス、腕時計が含まれてもよい。その代わりに、または、それに加えて、端末には、固定端末、例えば、自動販売機、ガスメータ、電力メータ、ネットワーク監視デバイス、カメラ、センサ、または固定されたコンピュータが含まれてもよい。
【００１８】
いくつかの実施形態では、端末グループは、５つ以上の端末を含んでいる。
【００１９】
本発明の第２の態様は、単一のページング要求を受信するステップと、望ましくは単一のページング要求に応答するステップとを含む、端末のための方法である。
【００２０】
単一のページング要求に応答するステップは、端末を更新及び／または再構成するステップを含んでもよい。それに加えて、またはその代わりに、単一のページング要求に応答するステップは、所定の報告を送信することを含んでもよい。所定の報告は、測定報告、示度報告、ステータス報告等を含んでもよい。所定の報告は、通信ネットワークによって、及び／または、ネットワークに関連するノード、例えばサーバによって受信されてもよい。
【００２１】
いくつかの実施形態では、単一のページング要求に応答するステップの詳細は、各端末において事前構成される。その後、端末は、複数の異なるグループに属することができ、その結果、端末の反応は、例えば、ページングされている特定のグループに依存してもよい。いくつかの実施形態では、単一のページング要求に応答するステップの詳細は動的である。例えば、単一のページング要求に応答するステップの詳細は、本発明の第１の態様のいくつかの実施形態による単一のページングメッセージに含まれる追加情報に動的に依存してもよい。
【００２２】
いくつかの実施形態では、第２の態様の方法はさらに、単一のページング要求に応答するステップを任意の時間だけ遅延させることを含んでもよい。
【００２３】
いくつかの実施形態では、任意の時間は、第１の時間閾値を上回る値を有する。いくつかの実施形態では、任意の時間は、第２の時間閾値を下回る値を有する。いくつかの実施形態では、任意の時間は、第１の時間閾値を上回り、かつ、第２の時間閾値を下回る値を有する。第１及び／または第２の時間閾値は、グループ内のすべての端末について同じ値を有してもよいし、第１及び／または第２の時間閾値の値は、端末固有であってもよいし、及び／または、任意で、ページングメッセージ内に追加情報として含まれていてもよい。
【００２４】
いくつかの実施形態では、ページング応答アクセスを行う前に端末が待機すべき任意の時間は、有利には、例えば３ＧＰＰ  ＴＳ  ４４．０１８の節３．３．１．１．２（バージョン９．２．０を参照）の中に記述されたもののような既存の手順に従って判定されてもよいが、その場合、用いるべき「Ｔｘ−ｉｎｔｅｇｅｒ」の値（Ｔｘ整数値）は、本発明のいくつかの実施形態によるページングメッセージの中に追加情報として含まれる。
【００２５】
いくつかの実施形態では、本発明の第２の態様は、本発明の第１の態様について上述した各種の特徴のいずれかと同じかまたはそれらに対応する特徴をさらに有していてもよい。
【００２６】
本発明の第３の態様は、プログラム命令を含んでいるコンピュータプログラムを有しているコンピュータ可読媒体であり、コンピュータプログラムは、データ処理ユニットにロード可能であって、コンピュータプログラムがデータ処理ユニットによって実行される時に本発明の第１の態様による方法のステップをデータ処理ユニットに実行させるように構成されている。
【００２７】
本発明の第４の態様は、プログラム命令を含んでいるコンピュータプログラムを有しているコンピュータ可読媒体であり、コンピュータプログラムは、データ処理ユニットにロード可能であって、コンピュータプログラムがデータ処理ユニットによって実行される時に本発明の第２の態様による方法のステップをデータ処理ユニットに実行させるように構成されている。
【００２８】
本発明の第５の態様は端末グループのジョイント・ページングのためのページングメッセージである。
【００２９】
ページングメッセージは、マシン‐マシン通信を開始することを目的としていてもよい。マシン‐マシン通信は、端末を更新及び／または再構成することを含んでもよい。それに加えて、またはその代わりに、マシン‐マシン通信は、端末が所定の報告を送信することを含んでもよい。所定の報告は、測定報告、示度報告、ステータス報告等を含んでもよい。
【００３０】
それに加えて、またはその代わりに、ページングメッセージは、ヒト型通信を開始することを目的としていてもよい。
【００３１】
ページングメッセージは、端末グループに関連付られたグループ識別子を含んでもよい。グループ識別子は、例えば、グループ固有のＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｔｙ）、またはＴＭＧＩ（Ｔｅｍｐｏｒａｒｙ  Ｍｏｂｉｌｅ  Ｇｒｏｕｐ  Ｉｄｅｎｔｉｔｙ）、または「ＩＤなし」という値を有するＭｏｂｉｌｅ  Ｉｄｅｎｔｉｔｙを含んでもよい。
【００３２】
ページングメッセージは、さらに、追加情報を含んでもよい。追加情報は、要求された端末による応答の指標と、要求された端末による応答に関する１つ以上のパラメータと、ページングの型の指標と、通信ネットワークへの端末による所望のアクセスがどのように行われるべきかを示す指標と、端末による通信ネットワークへの所望のアクセスに関する１つ以上のパラメータと、ジョイント・ページングがアドレス指定される端末の特定のサブグループの指標と、端末を対象とした１つ以上の特定のコマンドまたは命令とのうち１つ以上を含んでもよい。例として、追加情報は、端末がページングに応じたアクセスをいつ送信するべきかというタイミングに関する１つ以上のパラメータを含んでもよい。
【００３３】
本発明の第６の態様は、端末グループのジョイント・ページングのために通信ネットワークが単一のページング要求を送信するステップと、グループのうち少なくとも１つの端末が単一のページング要求を受信するステップと、少なくとも１つの端末が単一のページング要求に応答するステップとを含むページングプロトコルである。
【００３４】
いくつかの実施形態では、本発明の第６の態様は、本発明の第１及び／または第２の態様について上述した各種の特徴のいずれかと同じかまたはそれらに対応する特徴をさらに有していてもよい。
【００３５】
本発明の第７の態様は、端末グループのジョイント・ページングのためのページング操作を行うように構成された処理ユニットを備えた通信システムのための装置である。処理ユニットは、例えば、ページング要求を生成するように構成されたシステムサーバ、基地局、または基地局制御装置であってもよい。いくつかの実施形態では、装置はさらに、端末グループの各端末のジョイント・ページングのためのページング要求を送信するように構成された送信機を備えている。
【００３６】
いくつかの実施形態では、本発明の第７の態様は、本発明の第１の態様について上述した各種の特徴のいずれかと同じかまたはそれらに対応する特徴をさらに有していてもよい。
【００３７】
本発明の第８の態様は、単一のページング要求を受信するように構成された受信機と、単一のページング要求に応答するように構成された回路部とを備えた端末である。
【００３８】
いくつかの実施形態では、本発明の第８の態様は、本発明の第２の態様について上述した各種の特徴のいずれかと同じかまたはそれらに対応する特徴をさらに有していてもよい。
【００３９】
本発明のいくつかの実施形態の利点は、単一のページング要求を使って複数の端末がページングされうることである。
【００４０】
本発明のいくつかの実施形態の別の利点は、ネットワークの輻輳が、回避されるか、または少なくとも最小化されることである。
【００４１】
本発明のいくつかの実施形態の別の利点は、ネットワークの負荷が軽減されることである。
【００４２】
特に、本発明のいくつかの実施形態の利点は、ページングチャネル（ＰＣＨ）にかかる負荷が軽減されることである。
【００４３】
本発明のいくつかの実施形態の別の利点は、ページングへの応答に起因して生じる負荷が、時間の経過と共に一層均等に分散されるであろうということである。これは、例えばアクセスチャネル（ＲＡＣＨ）に当てはまる。
【００４４】
本発明のいくつかの実施形態の別の利点は、マシン型のコマンド及び更新が、各デバイスに対して明示的に送信されるのではなく、多くのデバイスに対して「同報され」うるということである。これの利点は、さらに多くのシステム資源が節約されうることである。
【００４５】
本発明のいくつかの実施形態の別の利点は、ページング技法が、ヒト型通信とマシン‐マシン通信のいずれかまたは両方について用いられうることである。
【００４６】
本発明のさらなる目的、特徴及び利点は、添付の図面に関して行われる下記の本発明の実施形態の詳細記述から明らかになるであろう。
【図面の簡単な説明】
【００４７】
【図１】本発明のいくつかの実施形態による例示的な方法のステップを示すフローチャートである。
【図２Ａ】本発明のいくつかの実施形態による例示的な方法のステップを示すフローチャートである。
【図２Ｂ】本発明のいくつかの実施形態による例示的な方法のステップを示すフローチャートである。
【図３Ａ】通信ネットワークの１つ以上の基地局サイトに接続された移動端末を示す略図であり、ここで、移動端末及び／または通信ネットワークは、本発明のいくつかの実施形態による装置を含みうるか、及び／または、本発明のいくつかの実施形態による方法を行いうる。
【図３Ｂ】通信サーバに接続された端末を示す略図であり、ここで、端末、及び／または通信サーバは、本発明のいくつかの実施形態による装置を含みうるか、及び／または、本発明のいくつかの実施形態による方法を行いうる。
【図４】本発明のいくつかの実施形態による例示的なページングメッセージを示すブロック図である。
【図５】本発明のいくつかの実施形態による例示的なシグナリングプロトコルを示すシグナリング図である。
【図６】本発明のいくつかの実施形態による処理ユニットとコンピュータ可読媒体とを示す略図である。
【発明を実施するための形態】
【００４８】
以下に本発明の実施形態を記述するが、ここでは、通信システムの端末グループが、単一のページング要求を介してページングされてもよい。
【００４９】
重要なことだが、（例えばＧＥＲＡＮまたはＵＴＲＡＮに関して）本書で用いられる例は、単に例示することを目的としており、決して限定していると解釈されるべきではない。逆に、本発明の実施形態は、複数のエンティティ（例えば端末）がページングされる必要のあるいかなる通信システムにも等しく適用可能である。
【００５０】
上記のように、マシン‐マシン通信に関してサポートされる必要がありうる例示的な典型的な使用事例は、同時に（または限られた時間の間に）複数の（多数の）デバイスに到達する能力である。これは、例えば測定値、示度、及び／またはステータスに関する報告をネットワーク経由でサーバに送信することを目的として例えばデバイスをトリガするために必要でありうる。
【００５１】
もう１つの例示的な使用事例は、複数のマシン／デバイスに対して下りリンクで情報を送信する能力が必要な場合の事例であってもよい。例えば、そのような情報には、マシンコマンド及び／または異なるタイプの更新が含まれていてもよい。
【００５２】
これらの使用事例ではいずれも、同じＭＴＣサービスをサポートする（場合によっては非常に）多数のデバイスがページングされる必要がありうるであろうし、それは、ネットワーク上に過度の負荷を作り出すであろう。
【００５３】
典型的には、例えばＧＥＲＡＮネットワーク内で、既存のソリューションに従って移動局または移動端末に到達すべき場合、それらは、ＣＣＣＨ（Ｃｏｍｍｏｎ  Ｃｏｎｔｒｏｌ  Ｃｈａｎｎｅｌ）の一部であるＰＣＨ（ページングチャネル）を経由してＧＥＲＡＮ無線インタフェース上でページングされる。この文脈では、少数の異なるページングメッセージが定義される。
【００５４】
１つの例示的なページングメッセージにおいて、同じページングメッセージの中で最大４つの個別のデバイスに到達することができる。しかし、４つのデバイスは、それらすべてが現時点でＴＭＳＩ（Ｔｅｍｐｏｒａｒｙ  Ｍｏｂｉｌｅ  Ｓｕｂｓｃｒｉｂｅｒ  Ｉｄｅｎｔｉｔｙ）またはＰ−ＴＭＳＩ値を割り当てられている場合に限って、同じページングメッセージを使って到達できる。さらに、ページングメッセージは一般に、各デバイスのＩＤを示す。それゆえ、そのようなページングメッセージは事実上、４つのデバイスの各々についての個別のページング要求を含んでおり、同じページングメッセージの中でページングされうるデバイスの数を増やせば必ず、結果として、ページングメッセージが長くなるであろう。
【００５５】
他のページングメッセージについては、１つのページングメッセージの中で到達されうるデバイスの数は、さらに限定される。
【００５６】
また、留意すべきだが、（特定のデバイスについて最近いかなるトラヒック動作も行われていなかった場合にはよくあることだが）デバイスの位置が位置エリア／ルーティングエリア（ＬＡ／ＲＡ）レベルでのみネットワークによって知られている場合には、ページングメッセージは、典型的には、ＬＡ／ＲＡのすべてのセルの中の個別のデバイスに送信されることが必要であろうし、それがネットワークをさらに輻輳させる。
【００５７】
また、既存のソリューション（すなわち、個別のページングメッセージ／要求を送信すること）の場合、アドレス指定された各デバイスについての別個のページングメッセージ／要求が、インタフェース上でコアネットワークから無線アクセスネットワークまで（例えばＧＥＲＡＮの場合、Ａ  Ｇｂインタフェース上でＢＳＣ（基地局制御装置）まで）送信される必要がありうる。
【００５８】
従って、通信ネットワークにおいて移動局をページングするために利用可能な既存のソリューションの場合、各デバイスは、（個別のページングメッセージを介して、または、ページングメッセージの中の個別のページング要求を介して）個別にページングされる。従って、（例えばＭＴＣサービスについて）所期のデバイスすべてに到達するためには、多くの場合、多量のページングメッセージ／要求が必要であろう。結果として生じるシグナリング負荷は、無線制御チャネル上の輻輳の原因となりうるであろう。さらに、典型的には、すべてのデバイスの位置を、セルレベルでネットワークが知ることはないであろうし、それゆえ、多くの場合、個別のページングメッセージ／要求が、ＬＡ／ＲＡのすべてのセル内で送出される必要があるであろう。
【００５９】
また、各デバイスについてコアネットワークから無線アクセスネットワークへの別個のページングメッセージの必要性もありうるため、多くのＭＴＣデバイスがネットワーク内に導入される場合、インタフェース（例えばＧＥＲＡＮについてのＡ及び／またはＧｂインタフェース）上のシグナリング負荷は、劇的に増えるであろう。
【００６０】
ポイント・ツー・ポイントのページングの場合に、関与するデバイスすべてに事実上到達するのが、例えばそれらすべてに到達するのに時間がかかりすぎるという理由で、現実的に不可能である事例も起こり得るであろう。
【００６１】
それゆえ、デバイスグループに同時にページングを行うことができ、単一の各デバイスに個別にページングする必要がないことが望まれる。
【００６２】
ＭＴＣサービスの導入の結果として、ネットワーク経由で多くのデバイスにページングを行うことが必要となる状況の例をいくつか挙げる。
【００６３】
・デバイスが測定値、示度、及び／またはステータス報告をネットワーク経由でサーバに送信することをトリガする。
【００６４】
・例えばマシンコマンドまたは（例えば自動販売機上のテキストを更新するために）デバイスを更新または再構成するための情報を下りリンクで送信する。
【００６５】
本発明の実施形態は、この問題に取り組むものであり、ネットワーク（例えばＧＳＭ  ＥＤＧＥ  Ｒａｄｉｏ  Ａｃｃｅｓｓ  Ｎｅｔｗｏｒｋ（ＧＥＲＡＮ）ネットワーク）経由で複数のデバイスに到達（ページング）するためのソリューションの改善策を提供する。
【００６６】
本発明の実施形態は、単一のページング操作（例えば単一のページング要求及び／または単一のページングメッセージ）を用いて端末グループのジョイント・ページングを行う。それゆえ、本発明の実施形態に従って、同じメッセージ／要求を使って複数のマシン（デバイス）の取り組み（またはページング）が行われる。以下に、これがどのようにして行われうるかということに対する複数の異なる詳細なソリューションを提供する。
【００６７】
また、本発明のいくつかの実施形態は、ページングメッセージの中に追加情報を含める可能性を含んでいる。そのような追加情報には、例えば、以下のうちの１つ以上が含まれていてもよい。
・ページングの理由（例えば、デバイスによって行われるべき特定の動作）、
・マシンが、（必要なら）ネットワークへのアクセスをどのように行うべきか、
・ページングは、デバイスの１つ以上の特定のサブグループにだけ関するものか、
・特定のマシンコマンド、
・その他。
【００６８】
いくつかの実施形態では、デバイスは、共通のグループに属する。その結果、共通のグループＩＤを用いて、グループのすべてのデバイスのジョイント・ページングが単一のページングメッセージを介して達成されうる。
【００６９】
それに加えて、またはその代わりに、単一のページングメッセージを用いて、共通のグループＩＤを用いることなく複数のデバイスのページングが行われる。例えば、１つ以上のグループページングメッセージ（例えば、グループページングのみに用いられるように指定されたメッセージ、及び、場合によっては、特定の目的を有するグループページングのみに用いられるように指定されたメッセージ）が、ネットワークによって用いられてもよいだろう。そのような実施形態では、グループページングの機能性をサポートするデバイスは、常にグループページングメッセージを読み取るように適合されてもよい。それゆえ、これらの実施形態では、特定のグループＩＤは必要ない。
【００７０】
グループページングを受信する時にデバイスが反応すべきやり方は、例えば、
・デバイス内で構成／ハードコードされ（例えば「特定の報告を送信する」）
てもよい。このような場合、デバイスは多様な目的を持つ複数の多様なグループに属していることがありうる。それゆえ、多様なグループのページングは、デバイスの多様な動作をもたらすように設定されることがあるだろう。
【００７１】
・特定の情報に依存してもよい（例えば、そのような情報をページングの残余オクテットの中に含めることによって、ページングと共に含まれる）。
【００７２】
多数のデバイスが同時にページングされる場合、非常に多くのデバイスが同時に（またはほぼ同時に）ネットワークにアクセスしようとすることがありうる。従って、本発明の実施形態は、Ｍ２Ｍグループページングによってトリガされた、デバイスからネットワークへのアクセス時間をより長く伸ばすためのメカニズムも含んでいる。それゆえ、本発明のいくつかの実施形態は、ページング要求に応答する場合に、ページングされたデバイスについてのネットワークへのアクセスの改善も提供する。
【００７３】
次に、グループページングを行うメカニズムの多数の詳細な実施形態について提示しよう。
【００７４】
いくつかの実施形態では、グループについての特定のＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｔｙ）（例えば「Ｍ２ＭグループＩＭＳＩ」と表示される）が予約される。次いでマシンに、１つ（またはそれ以上）のＭ２ＭグループＩＭＳＩが、それらの個別のＩＤに加えて割り当てられる。次いで、Ｍ２ＭグループＩＭＳＩは、グループのメンバであるマシンすべてに割り当てられる。Ｍ２ＭグループＩＭＳＩをページング要求メッセージの中のＩＤとして用いることによって、その特定のグループのすべてのデバイスが、ページングメッセージを使ってページングされる。デバイスに対する追加情報（例えば、ページングの理由、特定のアクセス手順、影響を受けるサブグループの指標、及び／またはその他の情報）の送信が、ページングメッセージの残余オクテットの中に含められてもよい。例えば、そのために新たな情報要素が、３ＧＰＰ  ＴＳ  ４４．０１８メッセージ「ページング要求タイプ１」、「ページング要求タイプ２」、「ページング要求タイプ３」の残余オクテットの中に導入されてもよい。
【００７５】
いくつかの実施形態では、デバイスグループのページングを行うためにＴＭＧＩ（Ｔｅｍｐｏｒａｒｙ  Ｍｏｂｉｌｅ  Ｇｒｏｕｐ  Ｉｄｅｎｔｉｔｙ）が、割り当てられる。現在、ＴＭＧＩ値は、移動局のグループに対してＭＢＭＳ（Ｍｕｌｔｉｍｅｄｉａ  Ｂｒｏａｄｃａｓｔ／Ｍｕｌｔｉｃａｓｔ  Ｓｅｒｖｉｃｅｓ）セッションをセットアップするのに用いられている。ＭＢＭＳメカニズムは、複数の移動局を対象とする下りリンク送信だけをセットアップするように設計されている。本発明の実施形態では、ＭＢＭＳメカニズムは、グループページング用に再利用されてもよい。しかし、グループページングの目的は、多くの場合、デバイスが上りリンク送信を行うことをトリガすることであろうから、ＭＢＭＳソリューションは、すべての事例で直接適用可能でないことがある。従って、そのような実施形態は、（上記の代替選択肢の中のＭ２ＭグループＩＭＳＩと同様に）「Ｍ２ＭグループＴＭＧＩ」を割り当てて、それらをページングメッセージの中のＭｏｂｉｌｅ  Ｉｄｅｎｔｉｔｙとして用いて、その特定のＴＭＧＩを使ってデバイスグループをページングしてもよい。先述したように他の情報要素を含めること（例えば、ページングの理由、アクセス手順、サブグループの指標、その他の情報）は、そのために新たな情報要素を、３ＧＰＰ  ＴＳ  ４４．０１８メッセージ「ページング要求タイプ１」、「ページング要求タイプ２」、「ページング要求タイプ３」の残余オクテットの中に導入することによって含められてもよい。その代わりに（またはそれに加えて）、その他の情報が、３ＧＰＰ  ＴＳ  ２４．００８  Ｍｏｂｉｌｅ  Ｉｄｅｎｔｉｔｙ  ＩＥの定義（３ＧＰＰ  ＴＳ  ２４．００８  「Ｍｏｂｉｌｅ  ｒａｄｉｏ  ｉｎｔｅｒｆａｃｅ  Ｌａｙｅｒ  ３  ｓｐｅｃｉｆｉｃａｔｉｏｎ；Ｃｏｒｅ  ｎｅｔｗｏｒｋ  ｐｒｏｔｏｃｏｌｓ」を参照のこと）を更新して、グループページング用にＴＭＧＩが考慮される場合にそのタイプの情報がそこに含まれるようにすることによって、ページングメッセージのＭｏｂｉｌｅ  Ｉｄｅｎｔｉｔｙ  ＩＥの中に含められてもよい。
【００７６】
いくつかの実施形態では、グループページングは、特定のページングがグループページングであることを示すために、（例えば３ＧＰＰ  ＴＳ  ２４．００８の中の）新たなＭｏｂｉｌｅ  Ｉｄｅｎｔｉｔｙである「Ｔｙｐｅ  ｏｆ  ｉｄｅｎｔｉｔｙ（ＩＤタイプ）」が識別される。どのグループがページングされているのかを識別するため、グループＩＤが含まれてもよい。上述したステップと同様、グループページングに関するその他の情報が、Ｍｏｂｉｌｅ  Ｉｄｅｎｔｉｔｙ  ＩＥ（それは、次いで、そのような情報を伝達するために更新される必要がある）の一部として、または、その情報についての新たな情報要素を、３ＧＰＰ  ＴＳ  ４４．０１８メッセージ「ページング要求タイプ１」、「ページング要求タイプ２」、「ページング要求タイプ３」の残余オクテットの中に導入することによって含められてもよい。
【００７７】
いくつかの実施形態では、グループページングは、Ｍｏｂｉｌｅ  Ｉｄｅｎｔｉｔｙが既存の値である「ＩＤなし」に設定された状態でページングメッセージを送信し、ページングメッセージの残余のオクテットの中にグループページング情報を含めることによって行われる。グループＩＤを持つ情報要素が、３ＧＰＰ  ＴＳ  ４４．０１８メッセージ「ページング要求タイプ１」、「ページング要求タイプ２」、または「ページング要求タイプ３」の残余オクテットの中に含められてもよい。また、デバイスへの追加情報（例えば、ページングの理由、特定のアクセス手順、影響を受けるサブグループの指標、及びその他の情報）が、ページングメッセージの残余オクテットの中に含められてもよい。そのような実施形態では、グループページングをサポートするデバイスが、Ｍｏｂｉｌｅ  Ｉｄｅｎｔｉｔｙ＝「ＩＤなし」であるページングメッセージを受信する場合、デバイスは、グループページングがそのデバイスを対象としているかどうかを判定するために、ページングメッセージの残余オクテットを読み取るべきである。
【００７８】
若干異なる実施形態では、上記の実施形態の場合と同じことが適用されるが、ただし、ページングメッセージの残余オクテットの中にグループページング情報を含め、かつ、グループページングをサポートするデバイスがそれらにアドレス指定されたグループページングが存在するかどうかを確認するため常にページングメッセージの残余オクテットを読み取るようにさせるだけである。しかし、場合によっては、それらは（旧式の事例の場合のように）自分たちのページンググループを読み取るだけでよいだろう。Ｍ２Ｍグループページングを送信する必要があるけれども、送出すべき実際のページングが存在しない場合には、Ｍｏｂｉｌｅ  Ｉｄｅｎｔｉｔｙは、「ＩＤなし」に設定されてもよい。
【００７９】
別の若干異なる実施形態では、上記の実施形態と同じことが適用されるが、ただし、ＧＥＲＡＮで定義されたＥＴＷＳメカニズム及び対応する情報要素が再利用される。ＥＴＷＳ用のパラメータＷａｒｎｉｎｇ−Ｔｙｐｅについて、新たなＷａｒｎｉｎｇタイプ値が導入されてもよい。ＥＴＷＳ用のパラメータＷａｒｎｉｎｇ−Ｔｙｐｅは、３ＧＰＰ  ＴＳ  ２３．４０１に定義されており、「将来の利用のための予備」である値の１つを用いて、「ＥＴＷＳメッセージ」がグループページングに関与していることを示すことが提案される。どのグループのマシンがページングされているかを区別するための情報が、ページングメッセージの中の情報要素の中で（典型的には、残余オクテットの中で）例えばそのために新たな情報要素を、３ＧＰＰ  ＴＳ  ４４．０１８メッセージ「ページング要求タイプ１」、「ページング要求タイプ２」、または「ページング要求タイプ３」の残余オクテットの中に導入することによって送信されてもよい。また、マシンに対して送信される必要があるその他の情報が、ページングメッセージの残余オクテットの中に含められてもよい。
【００８０】
いくつかの実施形態では、（Ｍ２Ｍ）グループページング用に新たな制御メッセージが導入される。新たな制御メッセージは、グループページングを行うためにＰａｇｉｎｇ／Ａｃｃｅｓｓ  Ｇｒａｎｔ  ＣＨａｎｎｅｌ（ＰＣＨ／ＡＧＣＨ）上で送信することが可能であろうが、上記と同じ情報（例えば、グループＩＤ，ページングの理由、用いられることになるアクセス手順、サブグループの指標、及び／またはその他の情報、例えばマシンコマンド）を含んでもよい。メッセージは、影響を受けるデバイスすべてに到達するために可能なら一定時間の間、ＰＣＨ／ＡＧＣＨ上で送信されてもよい。デバイスは、自分たちのページンググループを読み取る場合、新たな制御メッセージを受信してもよい。
【００８１】
いくつかの実施形態については、マシン／デバイスが（例えば、ＧＥＲＡＮ制御チャネルの）異なるページンググループに属している場合、すべてのページンググループに到達するために、ページングメッセージを繰り返す必要がありうる。しかし、これらの実施形態においてさえ、マシンを個別にページングする必要性は回避される。
【００８２】
（例えば、Ｍ２Ｍグループページングの場合のように）多数のデバイスが同時にページングされる場合、同時にネットワークへのアクセスを行うであろう非常に多数のデバイスが存在しうるであろう。例えば、同じＧＥＲＡＮセルの中に多数のデバイスが存在していて、それらが同時にページングされてネットワークへのアクセスを行う必要がある場合、無線インタフェース上で、すなわちＲＡＣＨ（Ｒａｎｄｏｍ  Ａｃｃｅｓｓ  Ｃｈａｎｎｅｌ）上でコリジョンが起こる高いリスクが存在する。既存のネットワークソリューションでは、コリジョンを回避するため、アクセスはすでに時間的にランダム化されている。しかし、そのランダム化は、ＨＴＣサービスに基づいており、この場合、典型的には、同時にページングされる移動局の数は一層限定されており、かつ、ページングに対してより迅速に応答する必要性がある。大半のＭＴＣ利用事例に関して、グループページングへの応答の時間は重視されない。
【００８３】
従って、本発明の実施形態は、Ｍ２Ｍグループページングによってトリガされた、デバイスからネットワークへのアクセスをより長い時間に渡って拡散させるためのメカニズムを含んでいる。例えば、ページング要求の後の第１のアクセス試行の前に、及び／または、第１のアクセス試行が失敗した後で、かつ第２のアクセス試行の前に、ランダムな待機時間が適用されてもよい。ランダムな待機時間は、上側及び／または下側の待機時間閾値による値に限定されてもよい。そのような閾値を適切に設定することによって、アクセス試行をもっと拡散させるという目標が達成されうる。例えば、閾値は、異なるサービスについては異なる設定が行われてもよい。いくつかの実施形態では、閾値自体が、ランダム化プロセスによって設定される。別のいくつかの実施形態では、閾値の値は、ページングメッセージの中に追加情報として含まれる。
【００８４】
いくつかの実施形態では、ページング応答アクセスを行う前に端末が待機すべきランダムな時間は、３ＧＰＰ  ＴＳ  ４４．０１８の３．３．１．１．２の中に記述された既存の手順に従って判定されてもよいが、ここでは、使用すべき「Ｔｘ−ｉｎｔｅｇｅｒ」は、ページングメッセージの中に追加情報として含まれる。
【００８５】
本発明の実施形態を適用することによって、以下の利点のうち１つ以上が達成されうる。
・ＰＣＨ（ページングチャネル）上の負荷は、多くのデバイスが同時にアドレス指定されうるため、大幅に軽減されうる。
・負荷は、ページングに応じる例えばＲＡＣＨ（アクセスチャネル）上でより均等に分散されるであろう。
・マシン型のコマンド及び更新が、各デバイスに対して明示的に送信されるのではなく、多くのデバイスに対して「同報され」うる。これは、さらに多くのシステム資源を節約するであろう。
【００８６】
さらに強調されることだが、記述した本発明の実施形態の多くは、ＭＴＣシナリオに焦点を当てているけれども、本発明の実施形態は、ＨＴＣシナリオにも等しく適用可能である。
【００８７】
図１は、本発明のいくつかの実施形態による例示的な方法１００を示すフローチャートである。任意の方法のステップ１１０で、グループの各端末が、グループ識別子（例えばＭ２ＭグループＩＭＳＩまたは上記のその他のグループ識別子のいずれか）に関連付けられる。ステップ１２０で、端末グループをページングするためのページングメッセージ（またはページングメッセージの中のページング要求）が生成される。ページングメッセージの内容は、上記に例示されたが、図４に関してさらに例示されるであろう。いくつかの実施形態では、ページングメッセージは、ステップ１１０のグループ識別子を含んでもよい。加えて、またはその代わりに、ページングメッセージは、上記で詳述したその他の情報を含んでもよい。いくつかの実施形態では、グループ識別子は、ページングメッセージの中に含まれる。例えば、一部の事前構成されたページングメッセージは、常にすべての端末を対象とされてもよく、それゆえ、グループ識別子は必要ない。最後に、ステップ１３０で、ページングメッセージは、端末へ送信される。例えば、例示的な方法１００は、通信システムのネットワーク側によって行われてもよい。
【００８８】
図２Ａ及び図２Ｂは、本発明のいくつかの実施形態による例示的な方法２００ａ及び２００ｂを示すフローチャートである。例示的な方法２００ａ及び２００ｂのいずれも、例えば、通信システムの端末によって行われてもよい。
【００８９】
ステップ２１０ａで、ページングメッセージが受信され、読み取られる。ページングメッセージへの応答がネットワークへのアクセスを必要とすることをページングメッセージが示す場合、任意のステップ２２０ａに示すように、アクセス試行が遅延されてもよい。上記で論じたように、第１のアクセス試行の前に、及び／または、第１の試行が失敗したならば次のアクセス試行の前に、遅延がありうる。遅延の長さは、ランダム化されてもよい。アクセス試行が同時に多数発生することをさらに回避するため、ランダム化は、上記で論じたように、１つ以上の閾値に基づいて条件付けされてもよい。ネットワークアクセスが成功すると、ページングメッセージに対する要求された応答が、ステップ２３０ａで送信される。
【００９０】
ステップ２１０ｂで、ページングメッセージが受信され、読み取られる。この例では、（例えば、ページングが更新、再構成、及び／または特定のマシンコマンドを含んでいる場合）ページングメッセージに対する応答は、ネットワークへのアクセスを必要としないと仮定する。ページングメッセージに対する要求された応答が、ステップ２３０ｂで行われる。
【００９１】
図３Ａは、通信ネットワークの１つ以上の基地局サイト３２０、３３０に接続された移動端末３０１、３０２、３０３、３０４を示す略図である。基地局サイトの各々は、送信機を含む基地局３２１、３３１を備えている。通信ネットワークは、基地局サイト３２０、３３０と、処理ユニット３１１を備えたネットワーク制御装置３１０とを備えている。また、通信ネットワークは、別の要素（例えばネットワークサーバ）も備えていてもよい。移動端末及び／または通信ネットワークは、本発明のいくつかの実施形態による装置を備えているかまたは本発明のいくつかの実施形態による方法を行ってもよい。例えば、処理ユニット３１１及び基地局３２１、３３１の送信機は、図１に関して述べたような方法のステップを行ってもよく、移動端末は、図２Ａ及び／または２Ｂに関して述べたような方法のステップを行ってもよい。
【００９２】
図３Ｂは、処理ユニット３５１と送信機とを備えた通信サーバ３５０に接続された端末３６０、３７０、３８０を示す略図である。端末及び／または通信サーバは、本発明のいくつかの実施形態による装置を備えているかまたは本発明のいくつかの実施形態による方法を行ってもよい。例えば、処理ユニット３５１及び送信機は、図１に関して述べたような方法のステップを行ってもよいし、端末３６０、３７０、３８０は、図２Ａ及び／または２Ｂに関して述べたような方法のステップを行ってもよい。
【００９３】
図４は、本発明のいくつかの実施形態による一部の例示的なページングメッセージ４１０、４２０、４３０、４４０を示すブロック図である。
【００９４】
ページングメッセージ４１０は、グループ識別子（ＧＩＤ）４１１を含んでおり、それ以外の情報は含んでいない。そのようなメッセージ構造が用いられうる例示的なシナリオは、特定のページングメッセージが何を意味するのかを事前に指定された時である。例えば、通信システムにおいて指定されたグループページングメッセージに対する適用可能な応答が１つしかないことがありうる。そのような状況では、ページングに応答するのに追加情報はまったく必要ない。別の例では、ページングメッセージに対して指定された見込まれる応答が複数あるが、特定の要求は、ページングメッセージの中の追加情報によらず、何らかの別の方法で伝達される。例えば、特定の要求は、ページングメッセージを伝達するのに用いられるチャネル／タイムスロット／周波数搬送波／等によって明白であることがある。加えて、端末は、複数の異なるグループに属する可能性があり、その結果、端末の反応は、ページングされている特定のグループに依存することがある。
【００９５】
ページングメッセージ４２０は、グループ識別子（ＧＩＤ）４２１及び追加情報フィールド４２２を含んでいる。追加情報は、例えば、上記で論じた情報のいずれかを含んでもよい。
【００９６】
ページングメッセージ４３０は、グループ識別子（ＧＩＤ）４３１及び３つの追加情報フィールド４３２、４３３、４３４を含んでいる。追加情報は、例えば、上記で論じた情報のいずれかを含んでもよい。
【００９７】
ページングメッセージ４４０は、ページングメッセージがグループページングであることを指定するフィールド４４５を含んでいるが、グループ識別子は含んでいない。そのようなメッセージは、例えば、到達可能なすべての端末がページングされる場合に適用可能でありうる。また、ページングメッセージ４４０は、上記で論じたように、追加情報フィールド４４２も含んでいる。その他の実施形態では、追加情報フィールド４４２は省略されてもよい。
【００９８】
図５は、本発明のいくつかの実施形態による例示的なシグナリングプロトコルを示すシグナリング図である。プロトコルは、通信システムのネットワーク側（ＮＷ）５１０と端末５２０との間で適用可能である。ネットワーク側が、端末５２０を含む端末グループについてのページング要求を備えたグループページング５１２をシグナリングする。グループページング５１２は、端末５２０によって受信され、端末５２０はそれに応じて、例えば通信システムのネットワーク側５１０に応答５２４を送信することによって応答する。上記で（例えば図２Ａに関して）説明したように、端末５２０によるグループページングの受信と応答の送信との間には、意図的な遅延５２２があってもよい。
【００９９】
本発明の記述した実施形態及びそれらの等価物は、ソフトウェアまたはハードウェアまたはそれらの組み合わせとして実現されうる。それらは、例えばＤＳＰ（デジタルシグナルプロセッサ），ＣＰＵ（中央処理ユニット）、コプロセッサユニット、ＦＰＧＡ（フィールドプログラマブルゲートアレー）またはその他のプログラム可能ハードウェアのような、通信デバイスに関連付けられているかまたは一体化された汎用回路によって、あるいは、例えばＡＳＩＣ（特定用途向け集積回路）のような特別な回路によって行われてもよい。すべてのそのような形態は、本発明の範囲内にあることが企図されている。
【０１００】
本発明は、本発明の実施形態のいずれかによる回路部／論理を備えているかまたは本発明の実施形態のいずれかによる方法を行う電子装置の中で実施されてもよい。電子装置は、例えば、携帯可能または携帯型の移動無線通信機器、移動無線端末、移動電話、基地局、ポケベル、通信機、電子手帳、スマートフォン、コンピュータ、ノートブック、ＵＳＢスティック、プラグインカード、内蔵ドライブ、移動ゲーミングデバイス、自動販売機、または（腕）時計であってもよい。
【０１０１】
本発明のいくつかの実施形態によれば、記憶媒体には、例えばディスケットまたはＣＤ−ＲＯＭが含まれる。コンピュータ可読媒体は、プログラム命令を含むコンピュータプログラムを記憶していてもよい。コンピュータプログラムは、例えば移動端末の中に含まれうるデータ処理ユニットの中にロード可能であってもよい。データ処理ユニットの中にロードされた場合、コンピュータプログラムは、データ処理ユニットに関連付けられているかまたは一体化されたメモリの中に記憶されてもよい。いくつかの実施形態によれば、コンピュータプログラムは、データ処理ユニットの中にロードされるかまたはデータ処理ユニットによって実行される場合、例えば図１、図２Ａ及び図２Ｂのいずれかの中に示す方法のいずれかによる方法のステップをデータ処理ユニットに実行させてもよい。
【０１０２】
図６は、本発明のいくつかの実施形態によるＣＤ−ＲＯＭ  ６００の形式のコンピュータ可読媒体を示す略図である。ＣＤ−ＲＯＭ  ６００は、プログラム命令を含むコンピュータプログラムを記憶していてもよい。コンピュータプログラムは、（矢印６０２で示すように）処理ユニット６１０と場合によっては別個のメモリユニット６１１とを含む電子デバイス６０５の中にロード可能であってもよい。電子デバイス６０５の中にロードされた場合、コンピュータプログラムは、メモリユニット６１１の中に記憶されてもよい。いくつかの実施形態によれば、コンピュータプログラムは、電子デバイス６０５の中にロードされて処理ユニット６１０によって実行される場合、例えば図１、図２Ａ及び図２Ｂのいずれかの中に示す方法のいずれかによる方法のステップを、電子デバイス６０５及び場合によっては電子デバイス６０５に関連付けられるかまたは一体化された送信機（ＴＸ）６２０に実行させてもよい。電子デバイスは、例えば、移動端末、基地局、基地局制御装置またはネットワークサーバの中に備えられてもよい。
【０１０３】
強調されるべきだが、本明細書で用いられた場合の「備える／備えている」という用語は、記述された特徴、整数、ステップ、または構成要素の存在を指定するけれども、１つ以上のその他の特徴、整数、ステップ、構成要素、またはそれらの集合の存在を除外するのではないとみなされる。
【０１０４】
さらに、本発明について本書では、各種の実施形態に関して記述してきた。しかし、当業者であれば、本発明の範囲内にやはり入るような、記述した実施形態に対する多数の変形形態に気付くであろう。例えば、理解されるべきだが、本発明の実施形態の記述において、機能ブロックを特定のユニットに区分することは、決して本発明を限定していない。逆に、これらの区分は、単なる例である。１つのユニットとして本書で記述した機能ブロックは、２つ以上のユニットに分割されてもよい。同様に、２つ以上のユニットとして実装されるように本書で記述した機能ブロックは、本発明の範囲から逸脱することなく単一ユニットとして実装されうる。
【０１０５】
従って、理解されるべきだが、記述した実施形態の限定は、単に例示を目的としており、決して限定していない。
【図１】
2013509800.tif 000003
【図２Ａ】
2013509800.tif 000004
【図２Ｂ】
2013509800.tif 000005
【図３Ａ】
2013509800.tif 000006
【図３Ｂ】
2013509800.tif 000007
【図４】
2013509800.tif 000008
【図５】
2013509800.tif 000009
【図６】
2013509800.tif 000010
【手続補正書】
【提出日】平成23年8月24日(2011.8.24)
【手続補正１】
【補正対象書類名】特許請求の範囲
【補正対象項目名】全文
【補正方法】変更
【補正の内容】
【特許請求の範囲】
【請求項１】
通信ネットワーク内で、少なくとも２つの端末を含む複数の端末のグループ（３０１，３０２，３０３，３０４，３０５）にコンタクトするための方法であって、
前記グループ内の各端末（３０１，３０２，３０３，３０４，３０５）へ前記グループのための特定の国際移動電話加入者識別子（４１１，４２１，４３１）を割り当てるステップ（１１０）と、
前記グループのための特定の国際移動電話加入者識別子（４１１，４２１，４３１）を含むページングメッセージを作成するステップ（１２０）と、
単一のページング操作によって前記グループ内の全ての端末へ前記ページングメッセージを送信するステップ（１３０）と
を含むことを特徴とする方法。
【請求項２】
前記単一のページング操作（１３０）は、単一のページングメッセージを送信するステップを含むことを特徴とする請求項１に記載の方法。
【請求項３】
前記方法が前記通信ネットワークのノード（３２１，３３１，３１０）において実行されることを特徴とする請求項１又は２に記載の方法。
【請求項４】
前記複数の端末（３０１，３０２，３０３，３０４，３０５）の少なくとも１つから、応答（５２４）を受信するステップをさらに含むことを特徴とする請求項１乃至３の何れか１項に記載の方法。
【請求項５】
前記応答（５２４）を受信する前記ステップは、前記複数の端末の少なくとも１つからの報告を受信するステップを含むことを特徴とする請求項４に記載の方法。
【請求項６】
前記複数の端末の少なくとも１つへ、更新又は再構成を行うための情報を送信するステップをさらに含むことを特徴とする請求項１乃至５の何れか１項に記載の方法。
【請求項７】
前記ページングメッセージは、
要求された端末による応答の指標と、
要求された端末による応答に関連する１つ以上のパラメータと、
ページングの型の指標と、
前記通信ネットワークへの前記複数の端末による所望のアクセスがどのように行われるべきかを示す指標と、
前記複数の端末による通信ネットワークへの所望のアクセスに関する１つ以上のパラメータと、
前記ページングメッセージがアドレス指定される端末の特定のサブグループの指標と、
前記複数の端末を対象とした１つ以上の特定のコマンド又は命令と、
前記ページングに応じたアクセスがいつ端末によって送信されるべきかというタイミングに関する１つ以上のパラメータと
のうち、１つ以上を含む追加情報を含むことを特徴とする請求項１乃至６の何れか１項に記載の方法。
【請求項８】
少なくとも２つの端末を含む複数の端末のグループに属する、通信ネットワークにおける端末（３０１，３０２，３０３，３０４，３０５）の方法であって、
前記グループ内の全てのデバイスに対して同一の該グループに対する特定の国際移動電話加入者識別子が割り当てられるステップと、
前記グループのための特定の国際移動電話加入者識別子を含むページングメッセージを受信するステップ（２１０ａ）と
を含むことを特徴とする方法。
【請求項９】
前記ページングメッセージへ応答を送信するステップ（２３０ａ）をさらに含むことを特徴とする請求項８に記載の方法。
【請求項１０】
前記応答の送信を遅らせるステップ（２２０ａ）をさらに含むことを特徴とする請求項９に記載の方法。
【請求項１１】
追加情報として前記ページングメッセージに含まれるＴｘ整数値を受信するステップと、
前記受信したＴｘ整数値に従って、遅延時間のランダムな期間を決定するステップと、
前記決定された遅延時間の期間によって前記応答（２２０ａ）の送信を遅延させるステップと
を含むことを特徴とする請求項１０に記載の方法。
【請求項１２】
前記ページングメッセージへの応答（２３０ａ）を送信するステップは、報告を送信するステップを含むことを特徴とする請求項９乃至１１の何れか１項に記載の方法。
【請求項１３】
前記複数の端末を更新するか、及び、再構成するかの少なくとも一方のための情報を受信するステップを含むことを請求項８乃至１２の何れか１項に記載の方法。
【請求項１４】
少なくとも２つの端末（３０１，３０２，３０３，３０４，３０５，３６０，３７０，３８０）を含む、通信ネットワークにおける複数の端末のグループにコンタクトするための装置であって、
前記複数の端末のグループ内の各端末に前記グループのための特定の国際移動電話加入者識別子を割り当て、前記グループのための特定の国際移動電話加入者識別子を含むページングメッセージを作成する処理ユニット（３１１，３５１）と、
前記グループ内の各端末へ前記ページングメッセージを送信する送信機（３２１，３３１）と
を備えることを特徴とする装置。
【請求項１５】
前記処理ユニットは、ネットワーク制御装置（３１０）又はシステムサーバ（３５０）の一部であることを特徴とする請求項１４に記載の装置。
【請求項１６】
少なくとも２つの端末を含む複数の端末のグループに属する、通信ネットワークにおける端末（３０１，３０２，３０３，３０４，３０５，３６０，３７０，３８０）であって、
前記グループ内で少なくとも２つの端末の全てに対して同一の該グループに対する特定の国際移動電話加入者識別子が割り当てられ、
ページングメッセージを受信する受信機と、
前記ページングメッセージに対する応答を送信する回路と、
前記応答の送信を遅らせる遅延ユニットと
を備えることを特徴とする端末。
【請求項１７】
追加情報として前記ページングメッセージに含まれるＴｘ整数値を受信する回路と、
前記受信したＴｘ整数値に従った遅延時間のランダムな期間を決定する回路と、をさらに備え、
前記遅延ユニットは、前記決定された遅延時間のランダムな期間で、前記応答の送信を遅らせることを特徴とする請求項１６に記載の端末。
【国際調査報告】
2013509800.tif 000011
2013509800.tif 000012
2013509800.tif 000013